(57)【要約】【課題】  複数の放送波に跨るザッピング操作のためのユーザインタフェースを容易なものとする。【解決手段】  例えば十字キー２１における上方向操作子２１ａ、下方向操作子２１ｂの操作入力に応じては、チャンネル切り換え動作を行い、また、右方向操作子２１ｃ、左方向操作子２１ｄの操作入力に応じては、放送波（チューナ）の切り換え動作を行うようにする。  これによって他の放送波に跨るザッピング操作は、１つの関連した操作手段に対する操作により実現可能となり、容易なユーザインタフェースが実現される。【選択図】  図５
2005136477.tif 000002
【特許請求の範囲】
【請求項１】
複数のソースから入力ソースを選択する選択手段と、
上記選択手段により選択された入力ソースにおけるコンテンツデータについての切り換えを行う切換手段と、
複数の操作子から成り、関連した１つの操作部位を形成する操作手段と、
上記操作手段における所定の操作子に対する操作に応じては、上記切換手段を制御して上記コンテンツデータの切り換えを実行させ、他の所定の操作子に対する操作に応じては、上記選択手段を制御して入力ソースの選択を実行させる制御手段と、
を備えることを特徴とする選択装置。
【請求項２】
上記操作手段は、少なくとも上下左右方向への方向指示が可能とされた十字キーとされると共に、
上記制御手段は、上記十字キーにおける上方向指示のための操作子、及び下方向指示のための操作子に対する操作に応じて、上記切換手段を制御して上記コンテンツデータの切り換えを実行させ、上記十字キーにおける、右方向指示のための操作子、及び左方向指示のための操作子に対する操作に応じて、上記選択手段を制御して入力ソースの選択を実行させる、
ことを特徴とする請求項１に記載の選択装置。
【請求項３】
上記複数のソースは、放送波ごとに区分されるテレビジョン放送であり、上記コンテンツデータは、放送チャンネルごとの放送データとされる、
ことを特徴とする請求項１に記載の選択装置。
【請求項４】
複数のソースから入力ソースを選択する選択手順と、
上記選択手順により選択された入力ソースにおけるコンテンツデータについての切り換えを行う切換手順と、
複数の操作子から成り、関連した１つの操作部位を形成する操作手段における、所定の操作子に対する操作に応じては、上記コンテンツデータの切り換えを実行させ、他の所定の操作子に対する操作に応じては、上記入力ソースの選択を実行させる制御手順と、
を実行することを特徴とする選択方法。
【発明の詳細な説明】
【技術分野】
【０００１】
本発明は、特に複数のソースからのコンテンツデータを受信可能に構成された受信装置に好適な選択装置、及びその方法に関する。
【背景技術】
【０００２】
例えば、テレビジョン放送を受信可能な受信装置において、ユーザは興味のある放送チャンネルを探し出す際に、放送チャンネルを特に指定せずにチャンネル切換操作を行う、所謂ザッピング操作を行うことがある。例えば、このようなザッピング操作としては、ユーザがチャンネルの送りキーを操作することによって行われる。
【０００３】
従来において、このようなザッピング操作は、例えば受信装置として１つの放送波のみに対応したものである場合は、上記のようなチャンネルの送りキーとしての１つの操作子のみで行うことができた。
しかしながら、近年、テレビジョン放送としては、地上波アナログ放送に加え、ＢＳ放送、ＣＳ放送が一般的となり、これらの放送波を受信可能とするために複数のチューナを備えた受信装置が普及してきている。このように複数の放送波に対応する受信装置の場合、同じ放送波内でのザッピング操作は、従来どおりに１つの操作子で行うことができるが、他の放送波に跨ったザッピング操作は、放送波の切換のための操作子を操作する必要がある。
そして、このように放送波切換のための操作が別途必要となることで、ユーザは他の放送波に跨ったザッピング操作を、同一放送波内でのザッピング操作のように容易に行うことができなくなるという問題が生じる。
【０００４】
そこで、複数の放送波に対応した受信装置には、このような他の放送波に跨ったザッピング操作を、チャンネル送りキーの操作のみで可能とするようにしたものがある。
このような受信装置としては、１放送波内での最初または最後とされるチャンネルからのチャンネル送りキー操作に応じて、他の放送波のチャンネルに切換を行うものが知られている。つまり、複数の放送波のチャンネルを縦方向につなげるようにすることで、チャンネル送りキー操作のみによる他放送波に跨るザッピング操作を実現しているものである。
【０００５】
なお、他の関連する従来技術としては、以下の特許文献を挙げることができる。
【特許文献１】特開２０００−３２４４１２号公報
【発明の開示】
【発明が解決しようとする課題】
【０００６】
しかしながら、上記したような従来の手法では、選局中の放送波のチャンネルを一巡させない限り、他の放送波のチャンネルへの切り換えが行われないものとなってしまう。そして、このようなことから、上記した従来の手法では、受信可能なチャンネル数、及び放送波が増加するに伴って、ザッピングのための操作回数が増大化してしまうという問題が生じる。
【課題を解決するための手段】
【０００７】
そこで、本発明では以上のような問題点に鑑み、選択装置として以下のように構成することとした。
すなわち、先ず、複数のソースから入力ソースを選択する選択手段と、上記選択手段により選択された入力ソースにおけるコンテンツデータについての切り換えを行う切換手段とを備える。また、複数の操作子から成り、関連した１つの操作部位を形成する操作手段を備える。
その上で、上記操作手段における所定の操作子に対する操作に応じては、上記切換手段を制御して上記コンテンツデータの切り換えを実行させ、他の所定の操作子に対する操作に応じては、上記選択手段を制御して入力ソースの選択を実行させる制御手段を備えるようにした。
【０００８】
また、本発明では選択方法として以下のようにすることとした。
つまり、複数のソースから入力ソースを選択する選択手順と、上記選択手順により選択された入力ソースにおけるコンテンツデータについての切り換えを行う切換手順とを実行する。
そして、複数の操作子から成り、関連した１つの操作部位を形成する操作手段における、所定の操作子に対する操作に応じては、上記コンテンツデータの切り換えを実行させ、他の所定の操作子に対する操作に応じては、上記入力ソースの選択を実行させる制御手順を実行する。
【０００９】
このような構成によれば、上記のように１つの関連した操作部位を形成する操作手段に対する、所定の操作に応じて、上記入力ソースにおけるコンテンツデータを切り換えるための動作が実現される。また、このような操作手段に対する他の所定の操作に応じては、入力ソースを選択するための動作が実現される。
【発明の効果】
【００１０】
このことから上記本発明によれば、上記操作手段としての、１つの関連した操作部位に対する操作のみで、入力ソースについての切り換えと、入力ソース内でのコンテンツデータの切り換えとを実現できるものとなる。
そして、このような本発明において、例えば上記ソースが放送波ごとに区分されるテレビジョン放送とされ、上記コンテンツデータが放送チャンネルの受信データであった場合には、上記操作手段に対する操作に応じては、放送チャンネルの切換と放送波（チューナ）の切換とが実行されるものとなる。
そして、この際、上記操作手段を例えば十字キーとした場合には、例えばこの十字キーの上下方向操作に応じては放送チャンネルの切換を、また、左右方向操作に応じては放送波の切換を行うといったことが可能となり、チャンネル切換と放送波切換を要するザッピング操作を、１つの関連した操作部位に対する操作のみで実現することが可能となる。
そして、このようにチャンネル切換と放送波切換を要するザッピング操作を、１つの関連した操作部位に対する操作のみで実現することができることで、他の放送波（ソース）に跨ったザッピング操作のためのユーザインタフェースを、より容易なもとのすることができる。
【００１１】
また、このような本発明によれば、入力ソース内におけるコンテンツデータ（例えば同一放送波内の放送チャンネル）を一巡させずに入力ソースの切換を行うことが可能となるので、例えば従来のように放送波切換のために不要なチャンネル切り換え操作を行うといった必要がなくなり、その分、このような他放送波（他ソース）に跨ったザッピング操作の回数の増化を抑えることができる。
【発明を実施するための最良の形態】
【００１２】
以下、発明を実施するための最良の形態のうちの１つの形態（以下、実施の形態とする）について説明していく。
図１は、実施の形態の選択装置を内蔵する、受信装置１の内部構成例について示したブロック図である。なお、この場合、実施の形態の選択装置としては、少なくとも図示するスイッチＳＷ、ユーザインタフェース（Ｕ／Ｉ）制御部９、外部機器制御コマンド送信部１３、ＣＰＵ１４、ＲＯＭ１５、ＲＡＭ１６、リモートコマンダ２０を含むものとなる。
この受信装置１は、図示するチューナ部３として、例えば地上波デジタル放送とＢＳデジタル放送にそれぞれ対応したチューナ（第１チューナ３ａ、第２チューナ３ｂ）を備えて、複数の放送波を受信可能に構成される。
また、この場合の受信装置１には、外部入力インタフェース（Ｉ／Ｆ）８が備えられ、図示するようにチューナ５０ａを備えて例えばＣＳ放送を受信可能に構成された、外部機器５０により受信・選局される放送コンテンツも入力可能に構成される。
さらにこの場合、受信装置１は、例えばＡＶマウスと呼ばれる外部機器制御コマンド送信部１３を備え、上記外部機器５０に対する各種の動作指示を行うことが可能に構成されている。
【００１３】
この図１において、アンテナ部２は、例えばこの場合であれば地上波デジタル放送受信用アンテナと、ＢＳデジタル放送受信用アンテナとを包括的に示している。
このアンテナ部２により受信される放送波は、例えば図示されない混合器などを介してチューナ部３に入力される。
【００１４】
チューナ部３において、第１チューナ３ａに対しては、地上波デジタル放送の放送波が入力される。また、第２チューナ３ｂに対しては、ＢＳデジタル放送の放送波が入力される。
これら第１チューナ３ａ、第２チューナ３ｂのそれぞれは、バス１７を介して接続されるＣＰＵ１４の制御に基づいて、受信放送チャンネルについてのチューニング（選局）を行うようにされる。
なお、受信される放送波としては、上記のような地上波デジタル放送やＢＳデジタル放送の他に、有線放送波や地上波アナログ放送などの何れとされても構わない。
【００１５】
外部入力インタフェース８には、上記のようにＣＳ放送に対応した受信装置とされる外部機器５０からの、図示するアンテナ５１により受信され、チューナ５０ａにより選局されたＣＳ放送チャンネルの受信データが入力される。
なお、この場合の外部機器５０が受信可能な放送波としても、上記のようなＣＳ放送波に限られるものではない。
【００１６】
スイッチＳＷには、第１チューナ３ａ、第２チューナ３ｂ、外部入力インタフェース８からの出力データが入力される。
このスイッチＳＷは、これら第１チューナ３ａ、第２チューナ３ｂ、外部入力インタフェース８からの出力データのうち、バス１７を介して接続されるＣＰＵ１４の制御に基づいた１つのデータに切換を行い、これを復調部４に対して出力するようにされる。
【００１７】
復調部４は、上記スイッチＳＷから入力したデジタル変調されているデータを復調し、これをデコーダ５に出力する。
例えばＢＳデジタル放送の場合、復調部４により復調されたデジタルデータは、ＭＰＥＧ２方式で圧縮されたＡＶデータ、およびデータ放送用データが多重化されているトランスポートストリームである。ＡＶデータとは、放送コンテンツ本体を構成する映像情報および音声情報であり、データ放送用データとは、放送コンテンツ本体に付随するデータ（例えば電子番組表データ：ＥＰＧデータなど）である。
【００１８】
デコーダ５は、復調部４より供給されたトランスポートストリームを、ＭＰＳＧ２方式で圧縮されたＡＶデータとデータ放送用データに分離する。また、デコーダ５は、ＭＰＥＧ２方式で圧縮されたリアルタイムＡＶデータを、圧縮映像データと圧縮音声データに分離する。
分離された音声データは、ＰＣＭ（Pulse Code Modulation ）デコードされた後、付加音と合成され、ミキサ（MUX）６を介してスピーカ７に出力される。
また、分離された映像データは、伸張された後、コンポーザ１１を介してディスプレイ１２に出力される。
スピーカ７は、ミキサ６より供給された音声信号を出力する。またディスプレイ１２は、コンポーザ１１より供給された映像信号を表示（再生）する。
【００１９】
また、デコーダ５は、トランスポートストリームから分離されたデータ放送用データを、バス１７を介してＣＰＵ１４に供給する。これによりＣＰＵ１４は、所定のアプリケーションに従って所定の処理を実行し、ＥＰＧ一覧表などの作成に利用することができる。
【００２０】
ユーザインタフェース（Ｕ／Ｉ）制御部９は、ユーザからの入力操作を処理するモジュールであり、例えば、ユーザにより、操作ボタンまたはスイッチから構成されるリモートコマンダ２０が操作されることにより、赤外線発光部（図示せず）から発光された操作信号（IR信号）を受光部９ａで受光し、電気信号としての入力操作信号に変換してＣＰＵ１４に出力する。
なお、もちろん装置筐体パネルに操作スイッチ等が形成され、ユーザがそのようなパネル上の操作スイッチを操作できるようにしてもよい。その場合、パネル上の操作スイッチによる操作を、ユーザインタフェース制御部９が検出し、操作情報としてＣＰＵ１４に供給する。
【００２１】
グラフィック処理コントローラ１０は、ＣＰＵ１４の制御に基づいて、画面を生成する専用コントローラであり、例えば、ＳＶＧＡ（Super Video Graphic Array ）または、ＸＧＡ（eXtended Graphic Array ）相当の高精細な描画機能を備えている。
このグラフィック処理コントローラ１０は、例えば、ＧＵＩ（Graphical User Interface）操作画面やＥＰＧ一覧画面などを描画する。
これらの描画画面データはコンポーザ１１において、放送映像等と合成され、或いは切り換えられてディスプレイ１２に出力されることで、ユーザに対して表示される。
【００２２】
外部機器制御コマンド送信部１３は、ＣＰＵ１４の制御に基づき、外部機器５０に所要の動作指示を行うための制御コマンドを送信する。
なお、このような外部機器制御コマンド送信部１３は、上記した外部入力インタフェース８と同一モジュールにより構成することが可能である。
【００２３】
ＣＰＵ１４は、受信装置１の全体の動作を制御するメインコントローラであり、オペレーティングシステム（OS）により提供されるプラットフォーム上で各種のアプリケーションを実行する。
例えば、このＣＰＵ１４は、後の図２〜図４に示すようなテーブル情報に基づいて、リモートコマンダ２０およびユーザインタフェース制御部９を介して入力された操作信号に応じた放送チャンネルの切換、及び地上波デジタル放送・ＢＳデジタル放送・ＣＳ放送の放送波の切換を行うための制御を実行する。
またこの場合、ＣＰＵ１４は、リモートコマンダ２０およびユーザインタフェース制御部９を介して入力された操作信号に基づき、外部機器５０に対して例えばチャンネル切換動作などの所要の動作指示を行うためのコマンド情報を生成し、これを上記した外部機器制御コマンド送信部１３に送信させるための処理も行うようにされる。
【００２４】
ＲＯＭ１５は、受信装置１の電源オン時に実行する自己診断・初期化プログラムや、ハードウェア操作用の制御コードなどを格納する読み出し専用メモリである。
特に本実施の形態の場合は、後述する図６、図７に示される本例としての動作を実現するためのプログラムが格納される。
また、上述した放送チャンネル切換、及び放送波の切換のためのテーブル情報（図２〜図４）は、例えばこのＲＯＭ１５に格納される。
なお、このＲＯＭ１５としては、書き換え可能な不揮発性領域を有するようにされてもよい。
また、ＲＡＭ１６は、ＣＰＵ１４の実行プログラムをロードしたり、実行プログラムの作業データを書き込むために使用される、書き込み可能な揮発性メモリである。
【００２５】
ここで、上記のようにして例えばＲＯＭ１５内に格納される、放送チャンネルの切換及び放送波の切換のためのテーブル情報としては、次の図２〜図４に示すようなデータ構造を有するものとなる。
先ず、図２、図３は、各放送波における各放送チャンネルについての設定情報を格納した、チャンネル設定テーブルについて示しており、図２では、地上波デジタル放送の各放送チャンネルについてのチャンネル設定テーブルについて、また図３ではＢＳデジタル放送の各放送チャンネルについてのチャンネル設定テーブルについてそれぞれ示している。
これら図２、図３に示されるチャンネル設定テーブルにおいて、図示する「表示チャンネル」とは、受信装置１に設定された、ユーザが任意に放送チャンネルを割り当てることのできる表示用のチャンネル番号を示したものである。このような表示チャンネルとして、例えば図２に示される地上波デジタル放送の場合は、例えば１〜１２までの１２個の表示チャンネルが設定されており、ユーザはこれら１２個の表示チャンネルのそれぞれに対し、任意の放送チャンネルを割り当てることが可能とされる。
【００２６】
また、図２、図３において、「受信チャンネル」とは、各放送チャンネルに対応づけられたチャンネル番号であり、放送チャンネルの周波数と１対１の関係となるものである。
例えば、図２の例では、表示チャンネル「１」に対して受信チャンネル「１」が対応づけられている。このような対応付けによっては、例えばユーザが当該受信装置１に対して番号「１」の表示チャンネルを選択指示した場合に、受信チャンネル「１」に対応づけられた周波数の放送チャンネルが選局されるようになるものである。
なお、この受信チャンネルの項目において、図中の斜線は受信チャンネルの設定がないことを示している。
【００２７】
また、図２、図３に示される「チャンネルとばし」とは、ザッピング操作の対象となるチャンネルに設定するか否かの設定であり、例えばこのチャンネルとばしの項目として「０」が設定されるチャンネルは、ザッピング操作時においてその選局が行われないものとなり、「１」が設定されるチャンネルはザッピング操作時に選局が行われるものとなる。
なお、確認のために述べておくと、ここで言うザッピング操作とは、ユーザが特定のチャンネルを指定せずに行うチャンネル切り換え操作を指し、特に、チャンネルの順送りまたは逆送りのための操作を含むものを指すものとする。
【００２８】
続いて、図４には、放送波の切り換えを行う際に必要となる、チューナ設定テーブルのデータ構造例について示す。
図４において、「チューナＩＤ」とは、当該受信装置１が受信可能な放送波についての選局を行う、各チューナに予め割り与えられたＩＤである。
また、「受信する放送波」は、上記のようなＩＤの割り与えられた各チューナがそれぞれ受信する放送波の別を示している。
この場合、受信する放送波の項目として、例えば「０」が設定される場合は、地上波デジタル放送の放送波を受信することを示し、また「１」が設定される場合は、ＢＳデジタル放送の放送波を受信することを示すものとなる。また、受信する放送波の項目が「２」の場合は、ＣＳ放送の放送波を受信することを示している。
【００２９】
また、図４において、「機器」の項目は、該当するチューナが受信装置１内部に設けられたものであるか、外部に設けられたものであるかの別を示している。例えばこの場合、機器の項目として「０」は内部に設けられることを示し、「１」は外部に設けられることを示すものとなる。
さらに、図示する「チューナとばし」の項目は、上記した「チャンネルとばし」の項目と同様、ザッピング操作の対象となるチューナに設定するか否かを設定するための項目である。この場合もチューナとばしとして「０」が設定されたチューナＩＤのチューナは、ザッピング操作の対象から外される。つまり、ザッピング操作時においてはそのチューナにより受信される放送チャンネルが選局されなくなるものである。
なお、本例の場合、チューナＩＤ「０」のチューナ（地上波デジタル放送についての選局を行うチューナ３ａ）については、このようなチューナとばしの項目の対象外としている。すなわち、チューナ３ａについては、常にザッピング操作の対象となるチューナに設定しているものである。
【００３０】
また、次の図５には、先の図１に示したリモートコマンダ２０の外観図を示す。
図示するように、リモートコマンダ２０に対しては、その前面に対してユーザが当該受信装置１に対する各種の操作入力を行うための複数の操作子が配置されている。特に本例の場合、このリモートコマンダ２０に配置される操作子としては、受信装置１に対する主に方向指示等の操作入力を行うための、十字キー２１が設けられている。
図示するように、十字キー２１としては、上方向操作子２１ａ、下方向操作子２１ｂ、右方向操作子２１ｃ、左方向操作子２１ｄの４つの操作子から成る。つまり、これら各方向操作子２１ａ〜２１ｄによっては、方向指示という１つ関連した操作部位が形成されている。
なお、図のようにこの場合の十字キー２１としては、外観上は１つの操作子として設けられるものであるが、ここでは、この十字キー２１を、上記のように各方向操作子２１ａ〜２１ｄの４つの操作子から成るものとする。つまり、ここでは「操作子」といったとき、外観上の区分ではなく、操作入力の別ごとに区分するものとする。
【００３１】
本実施の形態では、上記のようにリモートコマンダ２０に設けられた十字キー２１の各方向操作子２１ａ〜２１ｄのそれぞれに対し、放送チャンネルの切り換え操作と、放送波の切り換え操作を割り与えるようにする。
つまりこの場合、十字キー２１における上方向操作子２１ａ、下方向操作子２１ｂに対しては、放送チャンネルの切り換え操作を割り与えるようにする。例えばこの場合、上記上方向操作子２１ａには、表示チャンネルを番号順に順送りする順送り操作を割り与え、また、上記下方向操作子２１ｂに対しては、表示チャンネルの番号を逆送りする逆送り操作を割り与える。
その上で、十字キー２１における右方向操作子２１ｃ、左方向操作子２１ｄに対しては、放送波の切り換え操作を割り与える。
このようにすることで、チャンネル切り換え操作と放送波の切り換え操作を、上記十字キー２１としての１つの操作部位を用いて行うことが可能となり、これによって他の放送波に跨るザッピング操作のためのユーザインタフェースを、より容易なものとするものである。
【００３２】
図６、図７は、このような本例のザッピング操作を実現するために、図１に示したＣＰＵ１４が実行すべき処理動作について示したフローチャートである。
先ず、図６において、ＣＰＵ１４はステップＳ１０１の処理によって、先の図５に示した十字キー２１が操作されるのを監視する。そして、十字キー２１の上方向操作子２１ａ、下方向操作子２１ｂ、右方向操作子２１ｃ、左方向操作子２１ｄの何れかに対する操作入力があった場合はステップＳ１０２に処理を進める。
【００３３】
ステップＳ１０２においては、視聴モードであるか否かの判別を行う。つまり、視聴モードとして、受信装置１の現在の状態が、選局中の放送チャンネルの受信データをディスプレイ１２に対して全画面表示する動作モードとなっているか否かを判別するものである。
ステップＳ１０２において、現在の受信装置１の状態が視聴モードではないとして、否定結果が得られた場合は、現在の受信装置１の状態に応じて実行されるべき、上記十字キー２１の操作入力に応じた別処理を行うようにされる。
すなわち、例えばＥＰＧ一覧画面や各種設定のためのインタフェース画面が表示されている場合など、視聴モードの状態ではない場合には、これらの画面上に表示させたカーソル等の移動表示のための処理を行うなど、対応する別処理を行うようにされるものである。
また、ステップＳ１０２において、現在の受信装置１の状態が視聴モードとなっているとされて肯定結果が得られた場合は、ステップＳ１０３に処理を移行する。
【００３４】
ステップＳ１０３においては、ステップＳ１０１にて検出された十字キー２１の操作入力が、上下方向の何れか、或いは左右方向の何れかであったかについて判別処理を行う。
ステップＳ１０３において、上記したステップＳ１０１にて検出された操作入力が、右方向操作子２１ｃ、或いは左方向操作子２１ｄによるものであって、左右方向であるとの判別結果が得られた場合は、図７に示すステップＳ２０１に処理を移行する。
一方、ステップＳ１０１にて検出された操作入力が、上方向操作子２１ａ、或いは下方向操作子２１ｂによるものであり、上下方向であるとの判別結果が得られた場合は、ステップＳ１０４に処理を進める。
【００３５】
ステップＳ１０４においては、現在選択中のチューナが外部であるか否かの判別処理を実行する。つまり、先ずは、図１に示した第１チューナ３ａ、第２チューナ３ｂ、及び外部機器５０のチューナ５０ａのうち、図１にて示したスイッチＳＷによって現在選択させているチューナのチューナＩＤの情報を認識する。そして、先の図４に示したチューナ設定テーブルから、このチューナＩＤと対応づけられている「機器」の項目の情報内容を参照し、その情報内容から、現在選択中のチューナが外部に設けられたものであるか否かの判別を行うものである。
ステップＳ１０４において、現在選択中のチューナが外部であるとして肯定結果が得られた場合は、後述するステップＳ１１３に処理を進める。
また、現在選択中のチューナが外部ではないとして否定結果が得られた場合は、ステップＳ１０５に移行する。
【００３６】
ステップＳ１０５では、先のステップＳ１０１の処理にて検出された十字キー２１の操作入力が、上方向の操作入力であったか下方向の操作入力であったかの判別処理を行う。
そして、ステップＳ１０１にて検出された操作入力が、上方向操作子２１ａによるものであった場合は、ステップＳ１０６に処理を進めて、現在選択中のチューナのチャンネル（ｃｈ）設定テーブルを参照し、選局中の表示チャンネル番号の順方向に隣接する表示チャンネル番号を認識する。つまり、この場合は上方向操作子２１ａによる操作入力によって、チャンネルの順送りが指示されていることから、このように選局中の表示チャンネル番号の順方向に隣接する表示チャンネル番号を認識するものである。
【００３７】
さらに、続くステップＳ１０７においては、認識された表示チャンネル番号が、チャンネルとばしの設定がされたものであるか否かの判別を行う。すなわち、先の図２、図３に示したチャンネル設定テーブルにおいて、認識された表示チャンネル番号に対応づけられたチャンネルとばしの項目の情報として例えば「１」が格納され、この表示チャンネルに対してチャンネルとばしの設定が為されているか否かについて判別するものである。
ステップＳ１０７において、認識された表示チャンネルにチャンネルとばしが設定されているとして肯定結果が得られた場合は、ステップＳ１０８において、次の表示チャンネル番号を認識する。つまり、チャンネル設定テーブルにおいて、上記のように認識された表示チャンネル番号の順方向に隣接する次の表示チャンネル番号を認識する。
そして、このように次の表示チャンネル番号を認識すると、先のステップＳ１０７に処理を進め、この表示チャンネル番号についてチャンネルとばしの設定がされているか否かについて、再び判別処理を行うようにされる。
また、ステップＳ１０７において、認識された表示チャンネルにチャンネルとばしが設定されてはいないとして否定結果が得られた場合は、ステップＳ１１２において、認識された表示チャンネル番号に基づいた選局動作が得られるように、各部を制御する処理を実行する。すなわち、先ず、チャンネル設定テーブルにおいて、認識された表示チャンネル番号に対応づけられた受信チャンネルの番号を認識する。そして、この受信チャンネルの番号に対応する周波数の放送チャンネルが選局されるように、ステップＳ１０４で認識された現在選択中のチューナ（つまり、第１チューナ３ａまたは第２チューナ３ｂ）に対する制御を行うものである。
これによって、十字キー２１の上方向操作子２１ａの操作入力に応じては、チャンネルの順送り動作が実行されるものとなる。
そして、これと共に、この場合は上記のようにしてステップＳ１０７、Ｓ１０８の処理が実行されることによって、先の図２、図３にて説明したような、チャンネルとばしの設定に基づいたザッピング操作が実現される。
【００３８】
また、上記したステップＳ１０５において、ステップＳ１０１にて検出された操作入力が、下方向操作子２１ｂによるものであったと判別した場合は、ステップＳ１０９に処理を進める。
このステップＳ１０９においても、先のステップＳ１０６の処理と同様に、現在選択中のチューナのチャンネル設定テーブルを参照し、選局中の表示チャンネル番号に隣接する表示チャンネル番号を認識する。但し、この場合、認識された十字キー２１の操作は、下方向操作であるから、ここにおいて認識する表示チャンネル番号は、現在選局中のチャンネルの逆方向に隣接する表示チャンネル番号となる。
【００３９】
そして、続くステップＳ１１０としても、先のステップＳ１０７と同様、認識された表示チャンネル番号がチャンネルとばしの設定がされたものであるか否かの判別を行う。
この場合も、認識された表示チャンネル番号に対応づけられたチャンネルとばしの項目の情報として、例えば「１」が格納されて、チャンネルとばしの設定が為されているとされた場合は、ステップＳ１１１において、次の表示チャンネル番号を認識する。ここでは、上記のように下方向操作子２１ｂによる操作入力によりチャンネルの逆送りが指示されていることから、先の場合とは異なり、認識された番号の逆方向に隣接する表示チャンネル番号を認識する。
さらに、このように次の表示チャンネル番号を認識すると、先のステップＳ１１０において、同様にこの表示チャンネル番号についてチャンネルとばしの設定がされているか否かについて、再び判別処理を行う。
【００４０】
そして、このステップＳ１１０において、認識された表示チャンネルにチャンネルとばしが設定されてはいないとして否定結果が得られた場合は、この場合もステップＳ１１２に処理を進めて、認識された表示チャンネル番号に基づいた選局動作が得られるように、各部を制御する処理を実行する。
これによって、十字キー２１の下方向操作子２１ｂの操作入力に応じては、チャンネルの逆送り動作が実行される。また、この場合としても、上記のようなステップＳ１１０、Ｓ１１１の処理が実行されることで、チャンネルとばしの設定に基づいたザッピング操作が実現される。
【００４１】
ここで、先のステップＳ１０４において、現在選択中のチューナが外部であるとして肯定結果が得られた場合の、ステップＳ１１３では、先のステップＳ１０５の処理と同様に、ステップＳ１０１にて検出された操作入力が、上方向か下方向かについての判別処理を実行する。
そして、ステップＳ１１３において、検出された操作入力が上方向操作子２１ａによるものであるとされた場合は、ステップＳ１１４に処理を進めて、チャンネル順送りコマンドを発行するための処理を実行する。
つまり、この場合、現在スイッチＳＷにて選択させているチューナは、外部入力インタフェース８を介して接続される外部機器５０のチューナ５０ａであることから、外部機器５０にチャンネルの順送り動作を実行させるために、外部機器制御コマンド送信部１３によってこのようなチャンネル順送り指示のためのコマンド信号を送信させるための処理を実行するものである。
また、ステップＳ１１３において、検出された操作入力が下方向操作子２１ｂによるものであるとされた場合は、ステップＳ１１４において、チャンネル逆送りコマンドを発行するための処理を実行する。すなわち、この場合は、外部機器制御コマンド送信部１３によってこのようなチャンネル逆送り指示のためのコマンド信号を送信させるための処理を実行する。
このようにして、現在選択中のチューナが外部であるとされた場合は、外部機器制御コマンド送信部１３を介して、外部機器５０に対してチャンネル送りのための指示コマンドが送信されることで、上方向操作子２１ａ、下方向操作子２１ｂのそれぞれに応じたチャンネル順送り操作、逆送り操作が実現されるものである。
【００４２】
続いては、図７を参照して、ステップＳ１０１にて検出された操作入力が、右方向操作子２１ｃ或いは左方向操作子２１ｄによるものであった場合に実行される、ステップＳ２０１以降の処理動作について説明する。
図７において、先ずステップＳ２０１では、チューナ設定テーブルを参照し、現在選択中のチューナに隣接するチューナを認識する。
つまり、現在スイッチＳＷにて選択させているチューナのチューナＩＤを認識し、図４に示したチューナ設定テーブルにおいて、このチューナＩＤと隣接するチューナＩＤを認識するものである。
【００４３】
続くステップＳ２０２においては、認識されたチューナが外部チューナであるか内部チューナであるかについての判別処理を実行する。
このステップＳ２０２では、先の図６に示したステップＳ１０４と同様に、チューナ設定テーブルから、上記認識されたチューナＩＤと対応づけられている「機器」の項目の情報内容を参照し、その情報内容から、現在選択中のチューナが外部に設けられたものであるか、内部に設けられたものであるかについての判別を行う。
そして、認識されたチューナが、内部に設けられたものであるとした場合は、ステップＳ２０３に処理を進めて、復調部４へのデータ入力ソースを認識した内部チューナに切り換えるための処理を実行する。
すなわちこの場合、認識されたチューナは内部の第１チューナ３ａ、または第２チューナ３ｂの何れかであるので、これらのうち、認識されたチューナＩＤに対応づけられるチューナからのデータ入力が行われるように、スイッチＳＷに対する切り換え制御を実行するものである。
また、ステップＳ２０２において、認識されたチューナが外部であるとした場合は、ステップＳ２０４において、復調部４のデータ入力ソースを、外部入力インタフェース８に切り換えるための処理を実行する。つまり、外部機器５０のチューナ５０ａが受信・選局した放送チャンネルの受信データを入力するために、外部入力インタフェース８からのデータ入力を選択するように、スイッチＳＷの切り換え制御を実行する。
【００４４】
このようにして、図６に示したステップＳ１０４において、十字キー２１に対する右方向操作、左方向操作が検出された場合は、上記したステップＳ２０３、Ｓ２０４にてスイッチＳＷの切り換えが行われて、放送波の切り換え動作が行われる。つまり、放送波の切り換え操作を、十字キー２１の右方向操作子２１ｃ、左方向操作子２１ｄの操作により実現できるものである。
なお、この場合、上記ステップＳ２０３、Ｓ２０４の処理が行われたときは、切り換え後の放送波のラストチャンネルが表示されることになるが、例えば、これらＳ２０３、Ｓ２０４の処理の後に、それぞれチャンネル選局のための処理を設けるようにしておけば、切り換え後のチューナに、予め設定した所定のチャンネルを選局させるといったことも可能となる。
【００４５】
以上のようにして本実施の形態では、十字キー２１の上方向操作子２１ａ、下方向操作子２１ｂに対する操作によっては、同一放送波内でのチャンネルの切り換え操作が実現される。また、十字キー２１における右方向操作子２１ｃ、左方向操作子２１ｄに対する操作によっては、放送波の切り換え操作が実現される。
このようにして、十字キー２１としての１つの関連した操作部位に対する操作により、チャンネル切り換えと放送波切り換えの操作が実現されれば、他の放送波に跨ったザッピング操作のためのユーザインタフェースとして、より容易なインタフェースを実現することができる。
【００４６】
また、このような本実施の形態のザッピング操作によれば、同一放送波内の放送チャンネルを一巡させずに、放送波の切換を行うことが可能となるので、例えば従来のように放送波切換のために不要なチャンネル切り換え操作を行うといった必要がなくなり、その分、他放送波に跨ったザッピング時の操作回数を低減することができる。
【００４７】
また、本例では、外部機器制御コマンド送信部１３を設け、受信装置１に対する操作入力により外部機器５０に対する操作入力も行うことができるようにしたことから、外部装置５０により受信される放送波も含むザッピング操作を、容易に実現することが可能となる。
例えば、このような外部機器制御コマンド送信部１３を設けない場合、接続された外部機器５０が受信する放送波を含めたザッピングを行うとしたときは、先ずは外部機器５０からのデータ入力に切り換えるための操作を行い、その上で外部機器５０の操作入力部に対してチャンネル切り換えのための操作入力を行うなど、非常に煩雑な操作を伴うものとなる。
これに対し、上記のように外部機器制御コマンド送信部１３を設けた本例のザッピング操作によれば、外部機器５０が受信する放送波も含めたザッピングも十字キー２１に対する操作のみで実現可能となり、外部機器制御コマンド送信部１３を設けない場合よりも、格段に容易なザッピング操作を提供することができる。
【００４８】
なお、本例では、ザッピング操作を行うための操作手段として、十字キー２１を例に挙げたが、このような本例のザッピング操作を実現するにあたっては、例えばジョイスティックと呼ばれる操作手段のような、方向指示のための他の操作手段を用いるようにしてもよい。
また、このように外観上１つの操作子とされる操作手段以外にも、複数の操作子にそれぞれ関連した操作が割り与えられて、これらが関連した１つの操作部位を形成する操作手段であれば、他の操作手段を用いるようにしても構わない。
【００４９】
また、十字キー２１はリモートコマンダ２０に設けられる場合を例示したが、受信装置１の筐体パネルに同様の操作手段が設けられる場合は、この操作手段に対する操作入力に応じても、先の図６、図７に示したような動作を行って本例のザッピング操作を実現するようにしてもよい。
【００５０】
また、本例では、方向指示が割り与えられた操作子に対して、チャンネル切り換え、放送波切り換えの動作指示をそれぞれ割り当てるようにしたが、この場合、必ずしもチャンネル切り換え指示、放送波切り換え指示の全てを、方向指示の割り与えられた操作子に割り当てる必要はない。
例えば、上下左右方向への各方向操作子の中心部分にさらに操作子が設けられて、この中心部分の操作子が決定操作などに割り与えられている操作手段を想定した場合、例えば上下方向操作子にはチャンネル切り換え操作を、また、この中心部分の操作子には放送波切り換え操作を割り当てる等、必ずしもチャンネル切り換え及び放送波の切り換え操作のすべてを、方向指示のための操作子に割り当てる必要はないものである。
【００５１】
また、チャンネル切り換え及び放送波切り換えの操作を、それぞれ物理的に別々の操作子に割り当てる場合を例に挙げたが、共通の操作子を用いるようにしてもよい。
例えば、上方向操作子２１ａの所定時間以上の押圧操作（所謂長押し操作）を放送波切り換えのための操作として割り当てるなど、物理的に同一の操作子に対してチャンネル切り換えと放送波切り換えとを割り与えるようにしてもよいものである。
【００５２】
また、本例では、受信装置１として内蔵チューナや外部接続されたチューナからの、テレビジョン放送についてのチャンネル切り換え及び放送波切り換えを行う場合のみを例示したが、本発明としては、放送波以外の他の入力ソースについての切り換え、及びソースにおけるコンテンツデータの切り換えが可能とされてもよい。
例えば、受信装置１として、ネットワークを介して接続されたサーバ装置から、受信可能なコンテンツデータを選択的に切り換えてストリーミング再生可能とされる場合では、十字キー２１の操作に応じて、このサーバ装置からの入力データへの切り換えと、上記コンテンツデータについての切り換えとを行うようにしてもよい。
或いは、例えば受信装置１として、外部又は内部にハードディスクドライブ装置（ＨＤＤ）が備えられて、このＨＤＤに記憶されたコンテンツデータを選択的に再生可能とされる場合は、十字キー２１の操作に応じ、このＨＤＤからの入力データへの切り換え、及び上記コンテンツデータについての切り換えを行うようにしてもよい。
つまり、本発明において、このように「ソース」とはテレビジョン放送の発信源に限らず、コンテンツデータの供給源を広く指すものである。
【図面の簡単な説明】
【００５３】
【図１】本発明における、実施の形態としての選択装置を備えて構成された受信装置の内部構成例について示したブロック図である。
【図２】実施の形態の選択装置内に格納されるチャンネル設定テーブルの構造例について示すデータ構造図である。
【図３】同じく、実施の形態の選択装置内に格納されるチャンネル設定テーブルの構造例について示すデータ構造図である。
【図４】実施の形態の選択装置内に格納される、チューナ設定テーブルの構造例について示すデータ構造図である。
【図５】実施の形態の選択装置が備えるリモートコマンダにいての外観図である。
【図６】実施の形態の選択装置が行う処理動作として、主に放送チャンネルの切り換え動作時に対応して行われるべき処理動作について説明するためのフローチャートである。
【図７】実施の形態の選択装置が行う処理動作として、主に放送波の切り換え動作時に対応して行われるべき処理動作について説明するためのフローチャートである。
【符号の説明】
【００５４】
１  受信装置、２  アンテナ部、３  チューナ部、３ａ  第１チューナ、３ｂ  第２チューナ、４  復調部、５  デコーダ、６  ミキサ（ＭＵＸ）、７  スピーカ、８  外部入力インタフェース（Ｉ／Ｆ）、９  ユーザインタフェース（Ｕ／Ｉ）制御部、９ａ  受光部、１０  グラフィック処理コントローラ、１１  コンポーザ、１２  ディスプレイ、１３  外部機器制御コマンド送信部、１４  ＣＰＵ、１５  ＲＯＭ、１６  ＲＡＭ、１７  バス、２０  リモートコマンダ、５０  外部機器、５０ａ  チューナ、５１  アンテナ、ＳＷ  スイッチ
【図１】
2005136477.tif 000003
【図２】
2005136477.tif 000004
【図３】
2005136477.tif 000005
【図４】
2005136477.tif 000006
【図５】
2005136477.tif 000007
【図６】
2005136477.tif 000008
【図７】
2005136477.tif 000009